(57)【要約】【課題】吸引力の強い吸引源を必要としない開き装置およびそれを用いた中入れ丁合装置を提供する。【解決手段】開き装置は、第１の部分と、第１の部分に繋がる第２の部分とが重ねられた印刷物を開く装置である。開き装置は、第１の部分と第２の部分とが曲がっている状態において、第２の部分の曲がり状態を維持させる状態維持部と、状態維持部によって第２の部分の曲がり状態が維持されている状態で、第１の部分の曲がり状態の維持を解除する状態切替部と、を備える。【選択図】図４
2015174766.tif 000002
【特許請求の範囲】
【請求項１】
第１の部分と、前記第１の部分に繋がる第２の部分とが重なり合った印刷物を開く開き装置であって、
前記第１の部分と前記第２の部分とが曲がっている状態において、前記第２の部分の曲がり状態を維持させる状態維持部と、
前記状態維持部によって前記第２の部分の曲がり状態が維持されている状態で、前記第１の部分の曲がり状態の維持を解除する状態切替部と、
を備えることを特徴とする開き装置。
【請求項２】
前記状態維持部は、前記第２の部分を吸引することにより、前記第２の部分の曲がり状態を維持させることを特徴とする請求項１に記載の開き装置。
【請求項３】
前記状態切替部は、前記第１の部分を前記第２の部分に向かって押圧することにより、前記第１の部分および前記第２の部分を曲げることを特徴とする請求項１または２に記載の開き装置。
【請求項４】
前記状態維持部によって前記第２の部分の曲がり状態が維持されている状態において、
前記状態切替部は、前記第１の部分の曲がり状態が解除されるべく前記第１の部分に対する押圧を解除することを特徴とする請求項３に記載の開き装置。
【請求項５】
前記状態切替部は、前記第１の部分に対する押圧状態を解除するときに、前記第１の部分を吸引することを特徴とする請求項３に記載の開き装置。
【請求項６】
前記第２の部分に向かって押圧される前の前記第１の部分を支持する第１の支持部と、
押圧状態を解除された前記第１の部分を支持する第２の支持部と、を備え、
前記第２の支持部は、前記第１の支持部よりも前記状態維持部に近い位置で前記第１の部分を支持することを特徴とする請求項３または４に記載の開き装置。
【請求項７】
請求項１から６のいずれかに記載の開き装置を備える中入れ丁合装置。
【発明の詳細な説明】
【技術分野】
【０００１】
本発明は、開き装置および開き装置を備える中入れ丁合装置に関する。
【背景技術】
【０００２】
新聞販売店から家庭に配達される新聞には広告束が折り込まれている。新聞に広告束を折り込む（折られた新聞の内側に広告束を挿入する）作業は、新聞が販売店に届く深夜から早朝にかけて行われ、しかも配達時間との関係から制約された短い時間で行われる。そこで近年、この作業を高速化するべく、新聞を開いてその間に広告束を挿入する中入れ丁合装置の開発が進んでいる。従来では、例えば特許文献１に記載されるような中入れ丁合装置が提案されている。
【先行技術文献】
【特許文献】
【０００３】
【特許文献１】特開２００６−３４７０４６号公報
【発明の概要】
【発明が解決しようとする課題】
【０００４】
特許文献１に記載されるような装置では、閉じた状態の新聞をエア吸引によって開くため、ドライポンプ等の吸引力の強い吸引源が必要となる。吸引力の強い吸引源を搭載すると装置のコストは高くなる。また、装置の騒音は大きくなる。
【０００５】
このような課題は、広告束を折り込むために新聞を開く装置に限らす、例えば付録を挟み込むために雑誌を開く装置など、他の種類の印刷物を開く装置にも起こりうる。
【０００６】
本発明はこうした状況に鑑みてなされたものであり、その目的は、吸引力の強い吸引源を必要としない開き装置およびそれを用いた中入れ丁合装置の提供にある。
【課題を解決するための手段】
【０００７】
上記課題を解決するために、本発明のある態様の開き装置は、第１の部分と、第１の部分に繋がる第２の部分とが重ねられた印刷物を開く開き装置であって、第１の部分と第２の部分とが屈曲している状態において、第２の部分の屈曲状態を維持させる状態維持部と、状態維持部によって第２の部分の屈曲状態が維持されている状態で、第１の部分の屈曲状態の維持を解除する状態切替部と、を備える。
【０００８】
なお、以上の構成要素の任意の組み合わせや、本発明の構成要素や表現を方法、装置、システムなどの間で相互に置換したものもまた、本発明の態様として有効である。
【発明の効果】
【０００９】
本発明によれば、吸引力の強い吸引源を必要としない開き装置およびそれを用いた中入れ丁合装置を提供できる。
【図面の簡単な説明】
【００１０】
【図１】実施の形態に係る丁合システムの構成を示す斜視図である。
【図２】丁合システムによる動作を示す模式図である。
【図３】開き装置を示す斜視図である。
【図４】開き装置を示す側面図である。
【図５】押圧部および吸引ユニットを示す斜視図である。
【図６】開き装置の動作を示す模式図である。
【図７】開き装置の動作を示す模式図である。
【図８】開き装置の動作を示す模式図である。
【図９】開き装置の動作を示す模式図である。
【図１０】変形例に係る開き装置を示す側面図である。
【図１１】他の変形例に係る開き装置を示す側面図である。
【図１２】押圧部および吸引ユニットとその周辺を示す斜視図である。
【図１３】図１３（ａ）、（ｂ）は、吸引ダクトの排出口と吸引ファンの吸引口との位置関係を示す断面図である。
【発明を実施するための形態】
【００１１】
以下、各図面に示される同一または同等の構成要素、部材、処理には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
図１は、実施形態に係る丁合システム１０の構成を示す斜視図である。図２は、図１の丁合システム１０による動作を示す模式図である。丁合システム１０は、新聞販売店等で使用される。丁合システム１０は、４つ折りされた新聞に広告束を折り込み、それを所定部数ずつ積み重ねた新聞束を作成する。丁合システム１０は、中入れ丁合装置１１と、方向変換装置１２と、用紙束区分け装置１３と、を備える。中入れ丁合装置１１は、開き装置５０と、挿入装置５１と、を備える。開き装置５０が新聞を開き、挿入装置５１が開かれた新聞の間に広告束を折り込む。
【００１３】
開き装置５０は、新聞積載部１４と、新聞給紙部（不図示）と、を備える。新聞積載部１４には、４つ折りされた複数の新聞が積載される。新聞給紙部は、新聞積載部１４の下方に設けられる。新聞給紙部は、新聞積載部１４から新聞を１部ずつ取り出す。開き装置５０は、新聞給紙部が取り出した新聞を開き、広告挿入部１９に送る。開き装置５０の詳細な機能および構成については後述する。
【００１４】
挿入装置５１は、広告束積載部１５と、広告束給紙部１６と、広告挿入部１９と、を備える。広告束積載部１５は、複数の広告を配達単位に２つ折り広告で挟んだ複数の広告束を積載する。広告束積載部１５は、前面板２５と積載台２６とを有する。複数の広告束は前面板２５にもたれかかるようにして積載台２６に積載される。特に、複数の広告束は、その２つ折り広告の折り目を下方にして積載される。
【００１５】
広告束給紙部１６は、前面板２５の下方に設けられる。広告束給紙部１６は、広告束積載部１５から広告束を１部ずつ取り出し、広告挿入部１９に送る。広告挿入部１９では、広告束給紙部１６から送られた広告束が、開き装置５０において開かれた状態の新聞の間に挿入される。広告束を折り込んだ新聞は、方向変換装置１２に送られる。
【００１６】
方向変換装置１２は、広告束が折り込まれた新聞を、搬送機構２７により用紙束区分け装置１３に搬送する。特に、方向変換装置１２は、長手方向（最終折り目と平行な方向）に搬送されてきた新聞を、短手方向（最終折り目と直交する方向）に搬送する。
【００１７】
用紙束区分け装置１３は、新聞を所定部数ずつ積み重ねた新聞束を作成する。用紙束区分け装置１３は、リフトアップコンベア２９と、用紙束積載部３０と、スタックコンベア３１と、を備える。リフトアップコンベア２９は、方向変換装置１２から送り出された新聞を持ち上げて、用紙束積載部３０の上部に搬送する。
【００１８】
用紙束積載部３０は、仮受け部３２と、用紙束受け部３３と、ベルト３４と、を有する。用紙束受け部３３は櫛歯状を有する。用紙束受け部３３は、新聞が積載される度にその新聞の厚み分だけ下降する。例えば駆動機構（不図示）によって下降されるよう構成される。これにより、積載された新聞の束の最上位面を略一定の位置に維持する。
【００１９】
用紙束受け部３３は、所定部数の新聞を積載すると、この新聞の束をスタックコンベア３１に送り出す。具体的には、積載された新聞が所定数に達すると、積載された新聞束の上に仮受け部３２の４本のローラ３６が進出し、用紙束受け部３３の代わりに新聞を受ける（図２参照）。この間に、用紙束受け部３３が下降してその櫛歯の歯部と歯部の間にベルト３４が入り込み、ベルト３４に新聞束が積載される。続いて、ベルト３４が駆動されて新聞束はスタックコンベア３１に送り出される。
【００２０】
用紙束受け部３３は、スタックコンベア３１に新聞の束を送り出すと上昇する。するとローラ３６は、ローラ３６上に積載されていた新聞を用紙束受け部３３に渡すとともに、用紙束受け部３３の上方から退避する。ローラ３６の退避後は、リフトアップコンベア２９から送られてくる新聞は、用紙束受け部３３に積載される。これにより、用紙束受け部３３が新聞束をスタックコンベア３１に送り出している間も、リフトアップコンベア２９により搬送されてくる新聞を受けることができる。
【００２１】
スタックコンベア３１には多数のコロ４０が並べて設けられている。新たな新聞束が用紙束積載部３０から送り出されると、既に送り出されて並んでいた複数の新聞の束が押されてコロ４０上を移動する。
【００２２】
続いて、開き装置５０の機能および構成について詳細に説明する。図３は、開き装置５０を示す斜視図である。図４は、開き装置５０を示す側面図である。図５は、押圧部６５および吸引ユニット５５を示す斜視図である。開き装置５０の内側の構成を示すため、図３では前面カバーを外した状態が、図４では側面カバーを外した状態が示される。図３、４では新聞積載部１４の表示を省略する。
【００２３】
開き装置５０はさらに、搬送ローラ対５２と、支持部５３と、プッシャ５４と、吸引ユニット５５と、搬送ユニット７６と、開きガイド板７１と、を備える。搬送ローラ対５２は、新聞給紙部により送り出された新聞を、最終折り目部分を下にして支持部５３に送り出す。以降では、プッシャ５４に対して吸引ユニット５５が設けられる側を前側として説明する。
【００２４】
支持部５３は、傾斜板５６と、底板５７と、対向板５８と、揺動板７２と、を有する。傾斜板５６は、その主面が鉛直面に対して傾斜するよう設けられる。傾斜板５６には、複数の孔５６ａが、開き装置５０から挿入装置５１に向かう方向（以下、「搬送方向」と呼ぶ）に等間隔に形成される。この複数の孔５６ａを通って押圧部６５の先端部６９（後述）が傾斜板５６の後方の位置と前方の位置との間を移動する。底板５７は、傾斜板５６の下方に設けられる。搬送ローラ対５２によって搬送されてくる新聞は、最終折り目が底板５７に当接し、かつ、全体が傾斜板５６にもたれかかった状態で支持される。
【００２５】
対向板５８は、傾斜板５６の前側に設けられる。特に、対向板５８は、その主面が傾斜板５６の主面の下側部分と対向するよう設けられる。対向板５８は、後述するように、新聞を屈曲または湾曲させるのを支援する。揺動板７２は、傾斜板５６と吸引ユニット５５の間に設けられる。揺動板７２は、揺動軸７２ａを中心に、傾斜板５６と平行な位置と水平面と平行な位置との間を揺動するよう構成される。特に、揺動板７２は、傾斜板５６と平行な位置を越えて傾斜板５６に近接しないよう構成される。そのため、図９で後述するように新聞を支持できる。
【００２６】
吸引ユニット５５は、傾斜板５６の前側に設けられる。特に、吸引ユニット５５は、傾斜板５６の上側部分と対向するよう設けられる。吸引ユニット５５は、吸着部５９と、吸引ダクト６０と、吸引源６１と、を有する。吸着部５９は、搬送方向に延在する直方体状を有し、傾斜板５６と対向する面（以下、「対向面６２」と呼ぶ）が鉛直面に対して略平行となるよう設けられる。対向面６２には、複数の吸引口６３が形成されている。吸引源６１による吸引により、この吸引口６３からエアが流入し、吸引ダクト６０を通って吸引源６１の排出口（不図示）から排出される。このエアの流れにより、吸着部５９内に負圧が発生する。なお、本実施の形態では、吸引源６１は、ファンにより構成される。
【００２７】
吸着部５９は複数の搬送ローラ７５を有する。搬送ローラ７５は、その軸方向が鉛直方向を向き、かつ、その外周面が吸引口６３から吸着部５９の外側にわずかに突出するよう設けられる。これにより、搬送ユニット７６によって新聞が挿入装置５１に搬送されるときに、吸引口６３の端部と擦れて新聞が傷つくのを抑止できる。
【００２８】
プッシャ５４は、傾斜板５６の後側に設けられる。プッシャ５４は、押圧部６５と、移動機構６６と、を有する。押圧部６５は、熊手状の形状を有する。具体的には、押圧部６５は、基部６７と、そこから前側に突出する複数の歯部６８とを有する。複数の歯部６８は、搬送方向に等間隔に設けられている。特に、複数の歯部６８は、傾斜板５６の複数の孔５６ａと対向するよう設けられる。歯部６８は、その先端部６９が鉛直面に対して略平行となるよう上方に折れ曲がっている。
【００２９】
移動機構６６は、押圧部６５を、退避位置と近接位置との間で移動させる。ここで、退避位置とは、先端部６９が傾斜板５６よりも後方にあるときの押圧部６５の位置をいう。近接位置とは、先端部６９が傾斜板５６より前方にあり、先端部６９の前面（以下、「押出面７０」と呼ぶ）が対向面６２と水平方向で対向するときの押圧部６５の位置をいう。図４、５では、押圧部６５が退避位置にある状態を示している。また、図４では、押圧部６５が近接位置にある状態を破線で示している。
【００３０】
搬送ユニット７６は、後述するように支持部５３、プッシャ５４および吸引ユニット５５によって開かれた新聞を、挿入装置５１に送り出す。搬送ユニット７６は、近接および離間可能なローラ対で構成される。新聞が開かれた後にローラ対のローラ同士が近接し、新聞の最終折り目付近を傾斜板５６側と対向板５８側から挟んで送り出す。新聞が挿入装置５１側の搬送ユニットのローラ等にくわえられると、搬送ユニット７６のローラ対は互いに離間する。開きガイド板７１は、開き装置５０の出口に相当する部分であって、傾斜板５６よりも挿入装置５１側に設けられる。開きガイド板７１は、搬送ユニット７６によって送り出される開かれた新聞の間に入り込む。これにより、新聞は開かれた状態が維持される。
【００３１】
以上のように構成された開き装置５０の動作を説明する。図６〜９は、開き装置５０の動作を示す模式図である。図６に示すように、新聞Ｎ１は搬送ローラ対５２により支持部５３に送り込まれ、最終折り目部分Ｌ１が底板５７に当接し、かつ、傾斜板５６にもたれかかった状態で支持される。具体的には、最終折り目部分Ｌ１に対して傾斜板５６側の新聞の部分（以下、「第１の部分Ｎ１ａ」と呼ぶ）が傾斜板５６にもたれかかり、最終折り目部分Ｌ１に対して傾斜板５６とは反対側の新聞の部分（以下、「第２の部分Ｎ１ｂ」と呼ぶ）が第１の部分Ｎ１ａにもたれかかった状態で、新聞Ｎ１は支持される。このとき、押圧部６５は待機位置に位置している。
【００３２】
図７に示すように、押圧部６５は近接位置に向かって移動する。これにより、新聞Ｎ１の上側部分は、押圧部６５により押されて吸引ユニット５５に向かって移動する。また、揺動板７２は、新聞Ｎ１に押されて吸引ユニット５５に近接する方向に揺動する。
【００３３】
図８に示すように、押圧部６５がさらに移動して近接位置に到達すると、新聞Ｎ１は屈折または湾曲するとともに、第２の部分Ｎ１ｂが対向面６２に当接する。逆に言えば、第１の部分Ｎ１ａを介して押圧部６５に押された第２の部分Ｎ１ｂが対向面６２に当接するときの位置が近接位置である。例えば、対向面６２と押出面７０とが４つ折りされた新聞の厚み分の隙間を介して対向しているときの押圧部６５の位置を近接位置とすることができる。吸引源６１による吸引により吸着部５９内には負圧が発生しているため、対向面６２に当接した第２の部分Ｎ１ｂは吸着部５９に吸着する。
【００３４】
ここで、押圧部６５が新聞Ｎ１の上側部分を近接位置に向けて（すなわち前側に向けて）押したとき、新聞Ｎ１は、その下側部分が対向板５８に当接し、対向板５８と傾斜板５６とによって把持されたような状態となる。そのため、例えば新聞Ｎ１が分厚くてコシが強い場合でも、新聞Ｎ１を比較的容易に屈曲または湾曲させることができる。
【００３５】
図９に示すように、押圧部６５は退避位置に移動する。このとき、新聞Ｎ１の第１の部分Ｎ１ａおよび第２の部分Ｎ１ｂは、そのコシの強さによって真っ直ぐの状態（図６の状態）に戻ろうとする。第２の部分Ｎ１ｂは吸着部５９に吸着しているため、屈曲または湾曲した状態が維持される。逆に言えば、吸着部５９は、第２の部分Ｎ１ｂが吸着部５９に吸着した状態が維持されるよう、第２の部分Ｎ１ｂが真っ直ぐの状態に戻ろうとする力と同等またはそれ以上の力で吸引する必要がある。これについては、実験により最適な吸引力を定めればよい。一方、第１の部分Ｎ１ａは、吸着部５９に吸着していないため、吸着部５９ひいては第２の部分Ｎ１ｂから離れ、真っ直ぐの状態に戻る。これにより、新聞Ｎ１が開く。
【００３６】
真っ直ぐの状態に戻った第１の部分Ｎ１ａは、揺動板７２にもたれかかるようにして支持される。そのため、新聞Ｎ１と傾斜板５６との間には隙間ができる。したがって、開かれた新聞Ｎ１を挿入装置５１に排出する処理が完了する前に、次に開くべき新聞Ｎ２を支持部５３に送り込む処理を開始することができる。つまり、開かれた新聞Ｎ１を挿入装置５１に送り出す処理と、次に開く新聞Ｎ２を開き装置５０に送り込む処理とを実質的に同時に実施することができる。具体的には、新聞Ｎ１を送り出した搬送ユニット７６のローラ対のローラ同士が離間した後に、新聞Ｎ２の先端（すなわち最終折り目）がローラ対のローラ間に到達するようなタイミングで新聞Ｎ２が送り込まれる。これにより、中入れ丁合装置１１の処理速度を向上させることができる。新聞Ｎ１は、挿入装置５１に送り込まれると、そこで広告束が折り込まれる。
【００３７】
以上、実施の形態に係る開き装置５０およびそれを備える中入れ丁合装置１１について説明した。本実施の形態によると、新聞のコシを利用して新聞を開くことができる。そのため、ドライポンプ等の吸引力の強い吸引源は必要とせず、少なくとも新聞の第２の部分の屈曲状態または湾曲状態を維持できる吸引源があれば足りる。つまり、例えばファンにより構成された比較的吸引力の弱い吸引源を用いることができる。したがって、開き装置５０のコストを低減できるとともに、騒音も低減できる。
【００３８】
また、本実施の形態によると、開かれた新聞の第１の部分は揺動板７２に支持される。そのため、開かれた新聞と傾斜板５６との間には隙間ができる。したがって、開かれた新聞が挿入装置５１に排出される前に、次に開くべき新聞を支持部５３に送り込むことができる。つまり、開かれた新聞を挿入装置５１に送り出す処理と、次に開く新聞を開き装置５０に送り込む処理とを実質的に同時に実施することができる。これにより、中入れ丁合装置１１の処理速度を向上させることができる。
【００３９】
また、例えば特許文献１に記載される技術では、新聞給紙部が取り出した新聞受け部、搬送しながら新聞を開く開き部、広告束を挿入する広告挿入部がこの順に並置している。これに対し、本実施の形態によると、支持部５３で新聞を受け、この位置で新聞を開くことができる。つまり、従来の装置のような新聞開き部が不要になり、この分だけ丁合装置１１を小型化することができる。
【００４０】
以上、実施の形態に係る開き装置およびそれを用いた中入れ丁合装置について説明した。これらの実施の形態は例示であり、各構成要素の組み合わせにいろいろな変形例が可能なこと、またそうした変形例も本発明の範囲にあることは当業者に理解されるところである。また、実施の形態同士の組み合わせも可能である。
【００４１】
（変形例１）
実施の形態では、押圧部６５で押すことによって新聞（第１の部分および第２の部分）を屈曲または湾曲させ、第２の部分の屈曲状態または湾曲状態が維持されている状態で第１の部分を真っ直ぐの状態（屈曲または湾曲が解除された状態）に戻すべく押圧部６５を退避させ、新聞を開く場合について説明したが、これに限られない。折り目を介して重なり合う２つの部分の一方の屈曲状態または湾曲状態が維持されている状態で、他方の部分の屈曲状態または湾曲状態を解除して真っ直ぐの状態に戻すことによって新聞を開く構成であればよい。
【００４２】
図１０は、変形例に係る開き装置１５０を示す側面図である。図１０は図４に対応する。開き装置１５０は、搬送ローラ対５２と、支持部１５３と、吸引ユニット５５と、を備える。支持部１５３は、ガイド板１９１と、傾斜板５６と、底板５７と、を有する。ガイド板１９１は、その主面が対向面６２に対して略平行で、かつ、対向面６２と水平方向で対向するよう設けられる。特に、ガイド板１９１は、対向面６２との間を新聞が通過でき、かつ、その新聞の第２の部分Ｎ１ｂが対向面６２に当接するような隙間を介して対向する。ガイド板１９１は、揺動軸１９２を中心に揺動可能に構成される。
【００４３】
傾斜板１５６は、ガイド板１９１の下方に設けられる。特に、傾斜板１５６は、その主面がガイド板１９１の主面と交差するよう設けられる。底板１５７は、傾斜板１５６の下方に設けられる。搬送ローラ対５２により送り込まれた新聞は、最終折り目が底板１５７に当接し、ガイド板１９１と傾斜板１５６とにもたれかかるようにして支持される。
【００４４】
上述のようにガイド板１９１と傾斜板１５６は、それぞれの主面が交差するよう設けられているため、支持部１５３に送り込まれた新聞は湾曲または屈曲する。この状態でガイド板１９１を吸引ユニット５５から離れる方向に揺動すると、第２の部分は、そのコシの強さによって真っ直ぐの状態に戻り、新聞は開く。本変形例によれば、実施の形態によって奏される作用効果と同様の作用効果が奏される。
【００４５】
（変形例２）
実施の形態では特に言及しなかったが、より確実に新聞を開かせるために、プッシャに、新聞の第１の部分を吸引するプッシャ側吸引ユニットを設けてもよい。図１１は、他の変形例に係る開き装置２５０を示す側面図である。図１２は、図１１の押圧部６５および吸引ユニット５５とその周辺を示す斜視図である。プッシャ２５４は、押圧部６５と、移動機構６６と、プッシャ側吸引ユニット２８０と、を有する。本実施の形態では、挿入装置５１に一番近い歯部６８に対してプッシャ側吸引ユニット２８０が取り付けられる。少なくともガイド板７１に近い新聞の部分さえ開けば、ガイド板７１によって全体が開くためである。
【００４６】
プッシャ側吸引ユニット２８０は、吸引源２８１と、吸引ダクト２８２と、を有する。吸引源２８１による吸引により、歯部６８の先端部６９に形成された吸引口６９ａ（図１１、１２では不図示）からエアが流入し、吸引ダクト２８２を通って吸引源２８１の排出口（不図示）から排出される。このエアの流れにより、吸引ダクト２８２内に負圧が発生する。吸引ダクト２８２は、押圧部６５に固定され、押圧部６５と共に移動する。一方、吸引源２８１は、不図示の支持機構によって例えば側面カバー等の筐体に固定される。なお、本実施の形態では、吸引源２８１は、ファンにより構成される。
【００４７】
吸引ダクト２８２は複数の搬送ローラ２８３を有する。搬送ローラ２８３は、その軸方向が搬送方向を向き、かつ、その外周面が吸引口６９ａから先端部６９の前方にわずかに突出するよう設けられる。これにより、押圧部６５によって新聞が近接位置に向けて押されるときに、吸引口６９ａと擦れて新聞が上方向にずれたり、傷つくのを抑止できる。
【００４８】
図１３（ａ）、（ｂ）は、吸引ダクト２８２の排出口２８２ａと吸引源２８１の吸引口２８１ａとの位置関係を示す断面図である。図１３（ａ）は押圧部６５が近接位置にあるときの断面図を示し、図１３（ｂ）は押圧部６５が退避位置にあるときの断面図を示す。図１３（ｂ）は図１１のＡ−Ａ線断面図に相当する。吸引ダクト２８２は、吸引ダクト２８２と対向する面に排出口２８２ａが形成される。吸引源２８１は、吸引ダクト２８２と対向する面に吸引口２８１ａが形成される。吸引ダクト２８２の吸引口２８１ａは、押圧部６５が近接位置と退避位置との間で移動する方向（すなわち吸引ダクト２８２が移動する方向）に延在するよう形成される。特に、吸引口２８１ａは、押圧部６５が近接位置にあるときも、また退避位置にあるときも、吸引ダクト２８２の排出口２８２ａと対向するよう形成される。これにより、押圧部６５を近接位置から退避位置に移動させている間、吸引ダクト２８２と吸引源２８１とは常に連通する。そのため、吸引源２８１を吸引ダクト２８２と共に移動させなくとも、吸引することができる。
【００４９】
また、吸引ダクト２８２の移動によって吸引源２８１の吸引口２８１ａが外部に露出すると、先端部６９の吸引口６９ａでの吸引力が低下する。そのため、吸引ダクト２８２は、吸引源２８１の吸引口２８１ａを塞ぐ蓋部２８２ｂを有する。本実施の形態では、吸引ダクト２８２は、後側の吸引源２８１側の端部に板状の蓋部２８２ｂを有する。これにより、吸引源２８１の吸引口２８１ａは外部に露出しないため、先端部６９の吸引口６９ａでの吸引力を確保できる。
【００５０】
本変形例によれば、実施の形態によって奏される作用効果と同様の作用効果が奏される。加えて、本変形例によれば、押圧部６５を近接位置から退避位置に移動させるときに、プッシャ側吸引ユニット２８０によって、第１の部分が後方に引っ張られる。これにより、例えば枚数が比較的少なくて薄い新聞など、コシの弱い新聞であっても、第１の部分を確実に屈曲状態から真っ直ぐの状態に戻し、新聞を開くことができる。また、本変形例では、吸引源２８１は押圧部６５に固定されないため、押圧部６５の移動負荷が増大するのを抑えることができる。
【００５１】
（変形例３）
実施の形態では、広告束を折り込むために新聞を開く場合について説明したが、これに限られず、他の種類の印刷物を開く場合についても用いることができる。例えば、付録を挟み込むために雑誌を開く場合にも用いることができる。
【００５２】
（変形例４）
実施の形態では、吸引ユニット５５により新聞の第２の部分を屈曲または湾曲状態に維持する場合について説明したが、これに限られず、第２の部分の屈曲または湾曲状態を維持できれば他の手段を用いてもよい。
【００５３】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。
【００５４】
また、請求項に記載の各構成要件が果たすべき機能は、実施の形態および変形例で示された各構成要素の単体もしくはそれらの連携によって実現されることも当業者には理解されるところである。例えば、請求項に記載の状態維持部は、実施の形態の吸引ユニット５５により実現されてもよい。また、請求項に記載の状態切替部は、実施の形態に記載のプッシャ５４または変形例に記載のガイド板１９１により実現されてもよい。
【符号の説明】
【００５５】
１０  丁合システム、  １１  丁合装置、  １２  方向変換装置、  １３  用紙束区分け装置、  ５０  開き装置、  ５１  挿入装置、  ５２  搬送ローラ対、  ５３  支持部、  ５４  プッシャ、  ５５  吸引ユニット、  ５６  傾斜板、  ５６ａ  孔、  ５７  底板、  ５８  対向板、  ５９  吸着部、  ６０  吸引ダクト、  ６１  吸引源、  ６２  対向面、  ６３  吸引口、  ６５  押圧部、  ６６  移動機構、  ６７  基部、  ６８  歯部、  ６９  先端部、  ７０  押出面、  ７１  ガイド板、  ７２  揺動板、  ７４  揺動軸、  ７５  搬送ローラ、  ７６  搬送ユニット、  １５３  支持部。
【図１】
2015174766.tif 000003
【図２】
2015174766.tif 000004
【図３】
2015174766.tif 000005
【図４】
2015174766.tif 000006
【図５】
2015174766.tif 000007
【図６】
2015174766.tif 000008
【図７】
2015174766.tif 000009
【図８】
2015174766.tif 000010
【図９】
2015174766.tif 000011
【図１０】
2015174766.tif 000012
【図１１】
2015174766.tif 000013
【図１２】
2015174766.tif 000014
【図１３】
2015174766.tif 000015